(57)【要約】【課題】中程度の衝突物に対する耐衝撃性を確保した上で、船外活動する宇宙飛行士の作業効率低下を防ぐことができる、耐衝撃壁の提供を課題とする。【解決手段】１枚目のダンパー１１に、その外表面１１ａに対して寝かされた中心軸線１２ａを有し、この外表面１１ａから離れるにつれて先細りになる突起１２を、複数、突設する構成を採用した。【選択図】　　　図１
2004098928.tif 000002
【特許請求の範囲】
【請求項１】
複数枚の壁体を重ねてなり、衝突物の衝突による衝撃が内部に及ぶのを弱める最外壁を備えた耐衝撃壁において、
前記最外壁には、その外表面に対して寝かされた中心軸線を有し、この外表面から離れるにつれて先細りになる突起が複数設けられていることを特徴とする耐衝撃壁。
【請求項２】
請求項１に記載の耐衝撃壁において、
前記各突起は、前記中心軸線を中心とする円錐形状を有することを特徴とする耐衝撃壁。
【請求項３】
請求項１に記載の耐衝撃壁において、
前記各突起は、前記中心軸線を中心とする三角錐形状を有することを特徴とする耐衝撃壁。
【請求項４】
複数枚の壁体を重ねてなり、衝突物の衝突による衝撃が内部に及ぶのを弱める最外壁を備えた耐衝撃壁において、
前記最外壁には、その外表面から離れるにつれて先細りになる円錐台型突起が複数設けられていることを特徴とする耐衝撃壁。
【請求項５】
複数枚の壁体を重ねてなり、衝突物の衝突による衝撃が内部に及ぶのを弱める最外壁を備えた耐衝撃壁において、
前記最外壁には、複数の半球面型突起が設けられていることを特徴とする耐衝撃壁。
【請求項６】
複数枚の壁体を重ねてなり、衝突物の衝突による衝撃が内部に及ぶのを弱める最外壁を備えた耐衝撃壁において、
前記最外壁には、複数の半球面型凹部が設けられていることを特徴とする耐衝撃壁。
【請求項７】
請求項１から請求項６の何れかに記載の耐衝撃壁を有することを特徴とする宇宙構造体。
【発明の詳細な説明】
【０００１】
【発明の属する技術分野】
本発明は、耐衝撃壁及びこれを備えた宇宙構造体に関する。
【０００２】
【従来の技術】
宇宙開発が進むにつれて、ロケットの塗料片などの宇宙ゴミ（Ｓｐａｃｅ　Ｄｅｂｒｉｓ）が増加し、宇宙構造物との衝突が懸念されている。宇宙ゴミが衝突する際の平均相対速度は、例えば毎秒８．７ｋｍと超高速であり、約１ｃｍから１０ｃｍの中程度の大きさのものに対しては、地球上から観測・回避させることも防御させることもできない状況にある。
現在の宇宙構造物に取り付けられている耐衝撃壁として一般的なものは、２枚の壁体からなる二重壁構造（Ｗｈｉｐｐｌｅ　Ｂｕｍｐｅｒ）であり、１枚目のバンパーにより宇宙ゴミとの衝突エネルギーを吸収・分散させることで、２枚目のバンパーを防護する構造となっている。
【０００３】
この二重壁構造では、前記１枚目のバンパーが、平坦な外表面を有するものとなっているが、更なる耐衝撃性の向上を目的として、外表面に対して垂直な軸線を有する円錐形状の突起を、複数形成する構成が開示されている（非特許文献１参照）。
【０００４】
【非特許文献１】
赤星、「ＳＰＨ法を用いた超高速衝突における耐衝撃構造の開発」、日本航空宇宙学会西部支部　講演会（２００１）　講演集、日本、日本航空宇宙学会西部支部、平成１３年１１月９日、Ｐ１０７〜Ｐ１１０
【０００５】
この特許文献１に記載されている従来の二重壁構造の耐衝撃壁を、図６（ａ）〜（ｄ）に示す。なお、同図では、２枚のバンパーのうち、外側に位置する１枚目のバンパー１のみを示しており、２枚目のバンパーについては図示を省略している。前述のように、この１枚目のバンパー１の外表面２には、この外表面２に対して軸線ＣＬが垂直をなすように、円錐形状の突起３が複数形成されている。これら突起３は、先細りに鋭い先端３ａと、軸線ＣＬを中心とする傾斜面３ｂとを備えている。
【０００６】
これら突起３を有する耐衝撃壁によれば、１枚目のバンパー１に対して中程度の宇宙ゴミ（図示せず）が超高速で衝突すると、これら宇宙ゴミは、傾斜面３ｂに衝突して砕けて細かな粒子となりながら飛散し、二次デブリ雲を形成する。
この時に飛散する粒子は、単純な平面に対して衝突する場合に比較して、傾斜面３ｂによって斜め方向に軌道が曲げられるため、１枚目のバンパー１を貫通した後の二次デブリ雲の広がりを大きくすることができる。これにより、２枚目のバンパー２に向かう各粒子の集中度合い（二次デブリ雲の大きさ）を広げられるため、２枚目のバンパー２への衝突力を分散させて弱めることが可能となる。
【０００７】
【発明が解決しようとする課題】
ところで、この耐衝撃壁は、例えば宇宙ステーションなどの宇宙構造物における外壁として好適であるものの、各突起３の高さ寸法が比較的高くなりがちであるため、その鋭い先端３ａに、船外活動中の宇宙飛行士の宇宙服等が引っかかりやすくなることが想定される。このような問題は、船外活動における作業効率の低下を招来する恐れがあるため、何らかの対策が必要とされる。
【０００８】
本発明は、上記事情に鑑みてなされたものであり、中程度の衝突物に対する耐衝撃性を確保し、なおかつ、船外活動する宇宙飛行士の作業効率低下を防ぐことができる、耐衝撃壁の提供を目的とする。
【０００９】
【課題を解決するための手段】
本発明は、上記課題を解決するために以下の手段を採用した。
すなわち、請求項１に記載の耐衝撃壁は、複数枚の壁体を重ねてなり、衝突物の衝突による衝撃が内部に及ぶのを弱める最外壁を備えた耐衝撃壁において、前記最外壁に、その外表面に対して寝かされた中心軸線を有し、この外表面から離れるにつれて先細りになる突起が複数設けられていることを特徴とする。
上記請求項１に記載の耐衝撃壁によれば、最外壁に対して中程度の宇宙ゴミが超高速で衝突すると、これら宇宙ゴミは、各突起の表面に衝突して砕けて細かな粒子となりながら飛散し、二次デブリ雲を形成する。
この時に飛散する粒子は、突起のない単純な平面に対して衝突する場合に比較して、突起の表面によって斜め方向に軌道が曲げられるため、最外壁を貫通した後の二次デブリ雲の広がりを大きくすることができる。これにより、最外壁より内部に位置する他の壁体に対して衝突する各粒子の集中度合い（二次デブリ雲の大きさ）を広げられるため、他の壁体に向かう各粒子の衝突力を分散させて弱めることが可能となる。
しかも、突起の中心軸線を寝かせたことにより、最外壁の表面における各突起の突出高さを従来よりも低くすることができるので、宇宙服等が引っかかるのを防ぐこともできる。
【００１０】
請求項２に記載の耐衝撃壁は、請求項１に記載の耐衝撃壁において、前記各突起が、前記中心軸線を中心とする円錐形状を有することを特徴とする。
上記請求項２に記載の耐衝撃壁によれば、請求項１の作用を確実に得ることができる。
【００１１】
請求項３に記載の耐衝撃壁は、請求項１に記載の耐衝撃壁において、前記各突起が、前記中心軸線を中心とする三角錐形状を有することを特徴とする。
上記請求項３に記載の耐衝撃壁によれば、請求項１の作用を確実に得ることができる。
【００１２】
請求項４に記載の耐衝撃壁は、複数枚の壁体を重ねてなり、衝突物の衝突による衝撃が内部に及ぶのを弱める最外壁を備えた耐衝撃壁において、前記最外壁に、その外表面から離れるにつれて先細りになる円錐台型突起が複数設けられていることを特徴とする。
上記請求項４に記載の耐衝撃壁によれば、最外壁に対して中程度の宇宙ゴミが超高速で衝突すると、これら宇宙ゴミは、各円錐台型突起の周面に衝突して砕けて細かな粒子となりながら飛散し、二次デブリ雲を形成する。
この時に飛散する粒子は、円錐台型突起のない単純な平面に対して衝突する場合に比較して、円錐台型突起の周面によって斜め方向に軌道が曲げられるため、最外壁を貫通した後の二次デブリ雲の広がりを大きくすることができる。これにより、最外壁より内部に位置する他の壁体に対して衝突する各粒子の集中度合い（二次デブリ雲の大きさ）を広げられるため、他の壁体への衝突力を分散させて弱めることが可能となる。
しかも、最外壁の表面における円錐台型を採用しているため、突起の突出高さを従来よりも低くすることができるので、宇宙服等が引っかかるのを防ぐこともできる。
【００１３】
請求項５に記載の耐衝撃壁は、複数枚の壁体を重ねてなり、衝突物の衝突による衝撃が内部に及ぶのを弱める最外壁を備えた耐衝撃壁において、前記最外壁に、複数の半球面型突起が設けられていることを特徴とする。
上記請求項５に記載の耐衝撃壁によれば、最外壁に対して中程度の宇宙ゴミが超高速で衝突すると、これら宇宙ゴミは、各半球面型突起の表面に衝突して砕けて細かな粒子となりながら飛散し、二次デブリ雲を形成する。
この時に飛散する粒子は、半球面型突起のない単純な平面に対して衝突する場合に比較して、半球面型突起の表面によって斜め方向に軌道が曲げられるため、最外壁を貫通した後の二次デブリ雲の広がりを大きくすることができる。これにより、最外壁より内部に位置する他の壁体に向かう各粒子の集中度合い（二次デブリ雲の大きさ）を広げられるため、他の壁体に向かう各粒子の衝突力を分散させて弱めることが可能となる。
しかも、最外壁より突出する部分が、半球面形状であるため、従来の、壁面に垂直な軸線を有する円錐形状に比較して、突出高さを低くすることができ、宇宙服等が引っかかるのを防ぐこともできる。
【００１４】
請求項６に記載の耐衝撃壁は、複数枚の壁体を重ねてなり、衝突物の衝突による衝撃が内部に及ぶのを弱める最外壁を備えた耐衝撃壁において、前記最外壁に、複数の半球面型凹部が設けられていることを特徴とする。
上記請求項６に記載の耐衝撃壁によれば、最外壁に対して中程度の宇宙ゴミが超高速で衝突すると、これら宇宙ゴミは、各半球面型凹部の内表面に衝突して砕けて細かな粒子となりながら飛散し、二次デブリ雲を形成する。
この時に飛散する粒子は、半球面型凹部のない単純な平面に対して衝突する場合に比較して、半球面型凹部の表面によって斜め方向に軌道が曲げられるため、最外壁を貫通した後の二次デブリ雲の広がりを大きくすることができる。これにより、最外壁より内部に位置する他の壁体に向かう各粒子の集中度合い（二次デブリ雲の大きさ）を広げられるため、他の壁体に向かう各粒子の衝突力を分散させて弱めることが可能となる。
しかも、これら半球面型凹部は、最外壁から突出するものではないため、従来の、壁面に垂直な軸線を有する円錐形状に比較して、宇宙服等が引っかかるのを防ぐこともできる。
【００１５】
請求項７に記載の宇宙構造体は、請求項１から請求項６の何れかに記載の耐衝撃壁を有することを特徴とする。
上記請求項７に記載の宇宙構造体によれば、中程度の衝突物に対する耐衝撃性を確保した上で、船外活動する宇宙飛行士の作業効率低下を防ぐことができる。
【００１６】
【発明の実施の形態】
以下、本発明の耐衝撃壁及びこれを備えた宇宙構造体の各実施形態を、図面を参照しながら以下に説明するが、本発明がこれらに限定解釈されるものでないことはもちろんである。なお、各実施形態の宇宙構造体は、宇宙ステーションであり、その外壁の一部をなす耐衝撃壁に特徴を有するものであるため、この耐衝撃壁の詳細についてそれぞれ説明していくものとする。
【００１７】
まず、図１（ａ）〜（ｄ）を参照しながら、本発明の耐衝撃壁の第１実施形態について以下に説明する。
同図に示すように、本実施形態の耐衝撃壁は、図示されない衝突物の衝突による衝撃が内部に及ぶのを弱める１枚目のダンパー１１（最外壁）を備えている。この１枚目のダンパー１１は、前記衝突物に対向する外表面１１ａと、その裏面側である内面１１ｂとを有しており、内面１１ｂ側に面する内部には、図示されない２枚目のダンパーが所定間隔を空けるように重ねて配置されている。
したがって、１枚目のダンパー１１に衝突物が衝突した場合には、この１枚目のダンパー１１を貫通することで、前記２枚目のダンパーに対する前記衝突物の衝突力が弱められるものとなっている。
【００１８】
本実施形態における１枚目のダンパー１１には、その外表面１１ａに対して寝かされた中心軸線１２ａを有し、この外表面１１ａから離れるにつれて先細りになる突起１２が複数、突設されている。これら突起１２は、中心軸線１２ａを中心とする円錐形状を有しており、かつ、これらの中心軸線１２ａの傾き方向は、ランダムなものとなっている。
なお、本実施形態の各突起１２は、全て同一の外形寸法及び配置ピッチを有するものとしているが、これに限らず、互いに異なる外形寸法及び配置ピッチを採用しても良い。
【００１９】
以上説明の構成を有する本実施形態の耐衝撃壁によれば、１枚目のダンパー１１に対して中程度（例えば、約１ｃｍから１０ｃｍ程度の大きさ）の宇宙ゴミが超高速で衝突すると、これら宇宙ゴミは、各突起１２の表面に衝突して砕けて細かな粒子となりながら飛散し、二次デブリ雲を形成する。
この時に飛散する粒子は、各突起１２のない単純な平面に対して衝突する場合に比較して、各突起１２の表面（傾斜面）によって斜め方向に軌道が曲げられるため、１枚目のダンパー１１を貫通した後の二次デブリ雲の広がりを大きくすることができる。これにより、１枚目のダンパー１１より内部に位置する前記２枚目のダンパーに対して衝突する各粒子の集中度合い（二次デブリ雲の大きさ）を広げられるため、前記２枚目のダンパーに向かう衝突力を分散させて弱めることが可能となる。
【００２０】
しかも、各中心軸線１２ａを寝かせたことにより、１枚目のダンパー１１の表面１１ａにおける各突起１２の突出高さｈ１を従来よりも低くすることができるので、宇宙服等が引っかかるのを防ぐこともできるものとなっている。
【００２１】
本実施形態の耐衝撃壁によれば、１枚目のダンパー１１よりも内側の前記２枚目のダンパーに対する衝突物の衝突力を分散させて弱めることができ、なおかつ、宇宙服等が引っかかるのを防ぐこともできる。したがって、中程度の衝突物に対する耐衝撃性を確保した上で、船外活動する宇宙飛行士の作業効率低下を防ぐことが可能となっている。
【００２２】
続いて、本発明の耐衝撃壁の第２実施形態について、図２（ａ）〜（ｄ）を参照しながら以下に説明を行う。本実施形態は、上記第１実施形態の変形例に相当するので、その相違点を中心に説明し、その他については上記第１実施形態と同様であるとして説明を省略する。
【００２３】
本実施形態の耐衝撃壁は、前記円錐形状の突起１２の代わりに、前記中心軸線１２ａを中心とする三角錐形状の突起１３を突設した点が特徴的となっている。各中心軸線１２ａの傾き方向は、ランダムなものとなっている。
なお、本実施形態の各突起１３は、全て同一の外形寸法及び配置ピッチを有するものとしているが、これに限らず、互いに異なる外形寸法及び配置ピッチを採用しても良い。
【００２４】
以上説明の構成を有する本実施形態の耐衝撃壁によれば、上記第１実施形態と同様の作用・効果を得ることができる。すなわち、中程度の衝突物に対する耐衝撃性を確保した上で、船外活動する宇宙飛行士の作業効率低下を防ぐことが可能となっている。
【００２５】
続いて、本発明の耐衝撃壁の第３実施形態について、図３（ａ）〜（ｄ）を参照しながら以下に説明を行う。
同図に示すように、本実施形態の耐衝撃壁は、図示されない衝突物の衝突による衝撃が内部に及ぶのを弱める１枚目のダンパー１４（最外壁）を備えている。この１枚目のダンパー１４は、前記衝突物に対向する外表面１４ａと、その裏面側である内面１４ｂとを有しており、内面１４ｂ側に面する内部には、図示されない２枚目のダンパーが所定間隔を空けるように重ねて配置されている。
【００２６】
本実施形態における１枚目のダンパー１４には、その外表面１４ａから離れるにつれて先細りになる円錐台型突起１５が複数、突設されている。これら円錐台型突起１５は、外表面１４ａに垂直な中心軸線１５ａを中心とする円錐台形状を有している。
なお、本実施形態の各円錐台型突起１５は、全て同一の外形寸法及び配置ピッチを有するものとしているが、これに限らず、互いに異なる外形寸法及び配置ピッチを採用しても良い。
【００２７】
以上説明の構成を有する本実施形態の耐衝撃壁によれば、１枚目のダンパー１１に対して中程度（例えば、約１ｃｍから１０ｃｍ程度の大きさ）の宇宙ゴミが超高速で衝突すると、これら宇宙ゴミは、各円錐台型突起１５の周面に衝突して砕けて細かな粒子となりながら飛散し、二次デブリ雲を形成する。
この時に飛散する粒子は、各円錐台型突起１５のない単純な平面に対して衝突する場合に比較して、各円錐台型突起１５の周面（傾斜面）によって斜め方向に軌道が曲げられるため、１枚目のダンパー１４を貫通した後の二次デブリ雲の広がりを大きくすることができる。これにより、１枚目のダンパー１４より内部に位置する前記２枚目のダンパーに向かう各粒子の集中度合い（二次デブリ雲の大きさ）を広げられるため、前記２枚目のダンパーに向かう各粒子の衝突力を分散させて弱めることが可能となる。
【００２８】
しかも、各円錐台型突起１５が、先端が切り落とされた円錐台形状を採用しているので、１枚目のダンパー１４の外表面１４ａにおける各円錐台型突起１５の突出高さｈ２を従来よりも低くすることができるので、宇宙服等が引っかかるのを防ぐこともできるものとなっている。
【００２９】
本実施形態の耐衝撃壁によれば、１枚目のダンパー１４よりも内側の前記２枚目のダンパーに対する衝突物の衝突力を分散させて弱めることができ、なおかつ、宇宙服等が引っかかるのを防ぐこともできる。したがって、中程度の衝突物に対する耐衝撃性を確保した上で、船外活動する宇宙飛行士の作業効率低下を防ぐことが可能となっている。
【００３０】
続いて、本発明の耐衝撃壁の第４実施形態について、図４（ａ）〜（ｄ）を参照しながら以下に説明を行う。
同図に示すように、本実施形態の耐衝撃壁は、図示されない衝突物の衝突による衝撃が内部に及ぶのを弱める１枚目のダンパー１６（最外壁）を備えている。この１枚目のダンパー１６は、前記衝突物に対向する外表面１６ａと、その裏面側である内面１６ｂとを有しており、内面１６ｂ側に面する内部には、図示されない２枚目のダンパーが所定間隔を空けるように重ねて配置されている。
【００３１】
本実施形態における１枚目のダンパー１６の外表面１６ａには、複数の半球面型突起１７が突設されている。
なお、本実施形態の各半球面型突起１７は、全て同一の外形寸法及び配置ピッチを有するものとしているが、これに限らず、互いに異なる外形寸法及び配置ピッチを採用しても良い。
【００３２】
以上説明の構成を有する本実施形態の耐衝撃壁によれば、１枚目のダンパー１６に対して中程度（例えば、約１ｃｍから１０ｃｍ程度の大きさ）の宇宙ゴミが超高速で衝突すると、これら宇宙ゴミは、各半球面型突起１７の外周面に衝突して砕けて細かな粒子となりながら飛散し、二次デブリ雲を形成する。
この時に飛散する粒子は、各半球面型突起１７のない単純な平面に対して衝突する場合に比較して、各半球面型突起１７の外周面（傾斜面）によって斜め方向に軌道が曲げられるため、１枚目のダンパー１６を貫通した後の二次デブリ雲の広がりを大きくすることができる。これにより、１枚目のダンパー１６より内部に位置する前記２枚目のダンパーに向かう各粒子の集中度合い（二次デブリ雲の大きさ）を広げられるため、前記２枚目のダンパーに向かう各粒子の衝突力を分散させて弱めることが可能となる。
【００３３】
しかも、１枚目のダンパー１６に形成する突起として、半球形状を採用しているので、突起高さｈ３を従来よりも低くすることができるので、宇宙服等が引っかかるのを防ぐこともできるものとなっている。さらには、鋭角な先端形状を持たないので、より引っかかりにくくすることを可能としている。
【００３４】
本実施形態の耐衝撃壁によれば、１枚目のダンパー１６よりも内側の前記２枚目のダンパーに対する衝突物の衝突力を分散させて弱めることができ、なおかつ、宇宙服等が引っかかるのを防ぐこともできる。したがって、中程度の衝突物に対する耐衝撃性を確保した上で、船外活動する宇宙飛行士の作業効率低下を防ぐことが可能となっている。
【００３５】
続いて、本発明の耐衝撃壁の第５実施形態について、図５（ａ）〜（ｄ）を参照しながら以下に説明を行う。
同図に示すように、本実施形態の耐衝撃壁は、図示されない衝突物の衝突による衝撃が内部に及ぶのを弱める１枚目のダンパー１８（最外壁）を備えている。この１枚目のダンパー１８は、前記衝突物に対向する外表面１８ａと、その裏面側である内面１８ｂとを有しており、内面１８ｂ側に面する内部には、図示されない２枚目のダンパーが所定間隔を空けるように重ねて配置されている。
【００３６】
本実施形態における１枚目のダンパー１８の外表面１８ａには、複数の半球面型凹部１９が形成されている。
なお、本実施形態の各半球面型凹部１９は、全て同一の内径寸法及び配置ピッチを有するものとしているが、これに限らず、互いに異なる内径寸法及び配置ピッチを採用しても良い。
【００３７】
以上説明の構成を有する本実施形態の耐衝撃壁によれば、１枚目のダンパー１８に対して中程度（例えば、約１ｃｍから１０ｃｍ程度の大きさ）の宇宙ゴミが超高速で衝突すると、これら宇宙ゴミは、各半球面型凹部１９の内周面に衝突して砕けて細かな粒子となりながら飛散し、二次デブリ雲を形成する。
この時に飛散する粒子は、各半球面型凹部１９のない単純な平面に対して衝突する場合に比較して、各半球面型凹部１９の内周面（傾斜面）によって斜め方向に軌道が曲げられるため、１枚目のダンパー１８を貫通した後の二次デブリ雲の広がりを大きくすることができる。これにより、１枚目のダンパー１８より内部に位置する前記２枚目のダンパーに対して衝突する各粒子の集中度合い（二次デブリ雲の大きさ）を広げられるため、前記２枚目のダンパーに向かう各粒子の衝突力を分散させて弱めることが可能となる。
しかも、１枚目のダンパー１８の外表面１８ａから突出する部分がないので、宇宙服等が引っかかるのを防ぐこともできるものとなっている。
【００３８】
本実施形態の耐衝撃壁によれば、１枚目のダンパー１８よりも内側の前記２枚目のダンパーに対する衝突物の衝突力を分散させて弱めることができ、なおかつ、宇宙服等が引っかかるのを防ぐこともできる。したがって、中程度の衝突物に対する耐衝撃性を確保した上で、船外活動する宇宙飛行士の作業効率低下を防ぐことが可能となっている。
【００３９】
【発明の効果】
本発明の請求項１から請求項６の何れかに記載の耐衝撃壁によれば、最外壁よりも内側の他の壁体に対する衝突物の衝突力を分散させて弱めることができ、なおかつ、宇宙服等が引っかかるのを防ぐこともできる。したがって、中程度の衝突物に対する耐衝撃性を確保した上で、船外活動する宇宙飛行士の作業効率低下を防ぐことが可能となる。
【００４０】
また、本発明の請求項７に記載の宇宙構造体によれば、請求項１から請求項６の何れかに記載の耐衝撃壁を備えているので、中程度の衝突物に対する耐衝撃性を確保した上で、船外活動する宇宙飛行士の作業効率低下を防ぐことが可能となる。
【図面の簡単な説明】
【図１】本発明の耐衝撃壁の第１実施形態を示す図であって、（ａ）が平面図、（ｂ）が（ａ）のＣ−Ｃ矢視図、（ｃ）が（ａ）のＤ−Ｄ矢視図、（ｄ）がその要部斜視図を示している。
【図２】本発明の耐衝撃壁の第２実施形態を示す図であって、（ａ）が平面図、（ｂ）が（ａ）のＥ−Ｅ矢視図、（ｃ）が（ａ）のＦ−Ｆ矢視図、（ｄ）がその要部斜視図を示している。
【図３】本発明の耐衝撃壁の第３実施形態を示す図であって、（ａ）が平面図、（ｂ）が（ａ）のＧ−Ｇ矢視図、（ｃ）が（ａ）のＨ−Ｈ矢視図、（ｄ）がその要部斜視図を示している。
【図４】本発明の耐衝撃壁の第４実施形態を示す図であって、（ａ）が平面図、（ｂ）が（ａ）のＩ−Ｉ矢視図、（ｃ）が（ａ）のＪ−Ｊ矢視図、（ｄ）がその要部斜視図を示している。
【図５】本発明の耐衝撃壁の第５実施形態を示す図であって、（ａ）が平面図、（ｂ）が（ａ）のＫ−Ｋ矢視図、（ｃ）が（ａ）のＬ−Ｌ矢視図、（ｄ）がその要部斜視図を示している。
【図６】従来の耐衝撃壁の一例を示す図であって、（ａ）が平面図、（ｂ）が（ａ）のＡ−Ａ矢視図、（ｃ）が（ａ）のＢ−Ｂ矢視図、（ｄ）がその要部斜視図を示している。
【符号の説明】
１１，１４，１６，１８・・・１枚目のダンパー（最外壁）
１１ａ，１４ａ，１６ａ，１８ａ・・・外表面
１２，１３・・・突起
１２ａ・・・中心軸線
１７・・・半球面型突起
１５・・・円錐台型突起
１９・・・半球面型凹部
【図１】
2004098928.tif 000003
【図２】
2004098928.tif 000004
【図３】
2004098928.tif 000005
【図４】
2004098928.tif 000006
【図５】
2004098928.tif 000007
【図６】
2004098928.tif 000008